(57)【要約】      （修正有）【課題】設備配置図の利便性を向上させた防災支援システムを提供する。【解決手段】防災支援システムは、防火対象物に設置される防災設備の配置を、シンボルを用いて図示する設備配置図３１を表示させるとともに、シンボルを表示させるか否かを切り替えるためのボタン３３Ａ、３３Ｂ、３３Ｃ、３３Ｄを、シンボルが表示対象になっているか否かを判別可能な態様で表示させる。表示制御部は、前記シンボルが表示対象になっているか否かに応じて前記ボタンの一部又は全体を異なる色で表示させる。【選択図】図５
2020119140.tif 000002
【特許請求の範囲】
【請求項１】
防火対象物に設置される防災設備の配置を、シンボルを用いて図示する設備配置図を表示させるとともに、前記シンボルを表示させるか否かを切り替えるためのボタンを、前記シンボルが表示対象になっているか否かを判別可能な態様で表示させる表示制御部を備える防災支援システム。
【請求項２】
前記表示制御部は、前記シンボルが表示対象になっているか否かに応じて前記ボタンの一部又は全体を異なる色で表示させることを特徴とする請求項１に記載の防災支援システム。
【請求項３】
前記表示制御部は、前記防火対象物のフロア単位で切り替え可能なように設備配置図を表示させ、
第１の設備配置図から第２の設備配置図に切り替えられた後も、前記第１の設備配置図が表示されていた時の前記ボタンの選択状態が維持される
ことを特徴とする請求項１又は２に記載の防災支援システム。
【発明の詳細な説明】
【技術分野】
【０００１】
本発明は、防火対象物に設置される防災設備の配置図を閲覧可能にするためのシステムに関する。
【背景技術】
【０００２】
従来、建物に設置される各種の防災機器のシンボルを地図上に表示するための表示装置が知られている（例えば、特許文献１参照）。この表示装置に表示される地図を参照することで、利用者は防災機器の位置を知ることができる。
【先行技術文献】
【特許文献】
【０００３】
【特許文献１】特開２００９−３７４４９号公報
【発明の概要】
【発明が解決しようとする課題】
【０００４】
しかし、従来の表示装置では、１つの画面上に複数種類の防災機器のシンボルが同時に表示されるため、利用者にとって目的の防災機器を見つけにくかった。
【０００５】
本発明は、このような事情に鑑みてなされたものであり、設備配置図の利便性を向上させることを目的とする。
【課題を解決するための手段】
【０００６】
上記の課題を解決するため、本発明に係る防災支援システムは、防火対象物に設置される防災設備の配置を、シンボルを用いて図示する設備配置図を表示させるとともに、前記シンボルを表示させるか否かを切り替えるためのボタンを、前記シンボルが表示対象になっているか否かを判別可能な態様で表示させる表示制御部を備える。
【０００７】
好ましい態様において、前記表示制御部は、前記シンボルが表示対象になっているか否かに応じて前記ボタンの一部又は全体を異なる色で表示させる。
【０００８】
さらに好ましい態様において、前記表示制御部は、前記防火対象物のフロア単位で切り替え可能なように設備配置図を表示させ、第１の設備配置図から第２の設備配置図に切り替えられた後も、前記第１の設備配置図が表示されていた時の前記ボタンの選択状態が維持される。
【発明の効果】
【０００９】
本発明に係る防災支援システムによれば、設備配置図の利便性を向上させることができる。
【図面の簡単な説明】
【００１０】
【図１】防災支援システム１と防災システム２の構成の一例を示すブロック図
【図２】端末１２の構成の一例を示すブロック図
【図３】設備配置図のレイヤ構造の一例を示す図
【図４】フロアマップ画面の一例を示す図
【図５】フロアマップ画面の一例を示す図
【図６】フロアマップ画面の一例を示す図
【図７】設備配置図の拡大図
【図８】設備配置図の縮小図
【発明を実施するための形態】
【００１１】
１．実施形態
本発明の一実施形態に係る防災支援システム１について図面を参照して説明する。図１は、防火対象物に設置される防災システム２と、この防災システム２に接続される防災支援システム１の構成を示すブロック図である。
【００１２】
同図に示す防災システム２は、防火対象物の防災センタに設置されるＲ型の火災受信機２１と、防火対象物の各所に設置され、火災受信機２１と接続される各種の防災設備を備える。具体的には、防災設備として、煙感知器２２、発信機２３、防火戸２４、防火シャッタ２５、スプリンクラ設備のアラーム弁２６、非常電話親機２７、非常電話子機２８及び中継器２９を備える。防災設備の実際の数は、防火対象物の広さに応じて決まる。これらの防災設備のうち、煙感知器２２は、周囲の煙濃度を測定して、測定した煙濃度を示すアナログ値を火災受信機２１に送信する。発信機２３は、当該発信機が操作されると、発信機信号を火災受信機２１に送信する。防火戸２４及び防火シャッタ２５は、中継器２９を介して火災受信機２１に接続される。この中継器２９は、火災受信機２１からの作動信号を受けて防火戸２４又は防火シャッタ２５を開閉制御し、防火戸２４又は防火シャッタ２５が作動すると、応答信号を火災受信機２１に送信する。アラーム弁２６は、中継器２９を介して火災受信機２１に接続され、アラーム弁２６が流水を検知すると、この中継器２９は流水検知信号を火災受信機２１に送信する。非常電話子機２８は、非常電話親機２７を介して火災受信機２１に接続され、非常電話子機２８が操作されると、非常電話親機２７は非常電話火災信号を火災受信機２１に送信する。
【００１３】
これらの防災設備に接続される火災受信機２１は、ポーリング／セレクティング方式で各防災設備と信号の送受信を行い、イベントの発生を検出すると、発生したイベントの内容及び発生場所を通知するイベント情報を防災支援システム１に送信する。このイベントには、注意、感知器発報、火災発生、発信機操作、非常電話操作、アラーム弁作動が含まれる。これらのイベントのうち、注意は、煙感知器２２により測定された煙濃度が３％／ｍを超え、その継続時間（蓄積時間）が５秒を超えると、発生したと判定される。感知器発報は、煙感知器２２により測定された煙濃度が１０％／ｍを超えると蓄積となり、その継続時間（蓄積時間）が４０秒を超えると、発生したと判定される。火災発生は、感知器発報後、一定時間が経過するか、複数の煙感知器２２について感知器発報が発生するか、発信機２３から発信機信号が受信されるか、又は火災受信機２１において火災確定操作が行われると、発生したと判定される。発信機操作は、発信機２３から発信機信号が受信されると、発生したと判定される。非常電話操作は、非常電話親機２７から非常電話火災信号が受信されると、発生したと判定される。アラーム弁作動は、アラーム弁２６に接続される中継器２９から流水検知信号が受信されると、発生したと判定される。
【００１４】
次に、防災支援システム１は、防火対象物で活動する自衛消防隊を支援するための支援サーバ１１と、自衛消防隊の各隊員により携帯される端末１２と、支援サーバ１１、端末１２及び火災受信機２１を通信可能に接続するための通信回線１３とを備える。通信回線１３は、インターネットや無線ＬＡＮ等の通信ネットワークである。
【００１５】
支援サーバ１１は、具体的には、防火対象物内の防災設備の配置図を閲覧可能にすることで、自衛消防隊の活動を支援する。そのために、支援サーバ１１は、設備配置図を作成するために利用されるレイヤデータを端末１２ごとに記憶する。このレイヤデータは、設備配置図を構成する各表示要素の位置を、座標系を用いて指定するレイヤのデータである。このレイヤデータの更新が行われると、支援サーバ１１は対象の端末１２に対してプッシュ通知として同期要求を送信し、端末１２に記憶されるレイヤデータを同期させる。このレイヤデータについては後述する。また、支援サーバ１１は、火災受信機２１からイベント情報を受信すると、受信したイベント情報をプッシュ通知として端末１２に転送する。
【００１６】
端末１２は、具体的には、スマートフォン、携帯電話機、タブレット端末、ウェアラブル端末等の携帯端末である。図２は、この端末１２の構成を示すブロック図である。
【００１７】
同図に示す端末１２は、ＣＰＵ等の演算処理装置とＲＡＭ等の揮発性メモリを備える制御部１２１と、フラッシュメモリ等の記憶装置である記憶部１２２と、液晶ディスプレイや有機ＥＬディスプレイ等の表示装置である表示部１２３と、操作ボタンやタッチパネル等の入力装置である操作入力部１２４と、支援サーバ１１とデータ通信を行うための通信インタフェースである通信部１２５とを備える。
【００１８】
この端末１２の制御部１２１が、記憶部１２２に記憶される防災支援プログラムを実行すると、イベント情報取得部１２１１、地図作成部１２１２及び表示制御部１２１３の機能が実現される。
【００１９】
これらの機能のうち、イベント情報取得部１２１１は、支援サーバ１１からイベント情報が受信されると、記憶部１２２に記憶されるイベント履歴テーブルにイベント情報を記録する。具体的には、イベントの発生日時、内容、イベントの起点となった防災設備の識別情報を記録する。
【００２０】
地図作成部１２１２は、記憶部１２２に記憶されるレイヤデータとイベント履歴テーブルに基づいて、設備配置図を作成する。この設備配置図は、防火対象物に設置される防災設備の配置を、アイコンを用いて図示する図である。地図作成部１２１２は、レイヤデータが示すレイヤを重ね合わせることで、設備配置図を作成する。図３は、地図作成部１２１２により作成される設備配置図のレイヤ構造を示す図である。
【００２１】
同図に示すレイヤのうち、躯体レイヤ（ベースレイヤ）は、防火対象物の躯体を図示するレイヤである。具体的には、防火対象物の柱、壁及び床の位置を図示するレイヤである。このレイヤには、防火対象物の階段、トイレ、避難口（非常口）及びＡＥＤの位置も、アイコンを使って図示される。この躯体レイヤは、利用者の操作により表示／非表示を切り替えることができない。
【００２２】
閲覧制限領域レイヤ（マスクレイヤ）は、防火対象物の躯体のうち、閲覧が制限されている一部又は全部の領域を隠すためのレイヤである。このレイヤでは、閲覧制限領域が単色で塗りつぶされる。この閲覧制限領域レイヤは、躯体レイヤよりは上位であるが、その他のレイヤに対しては下位である。そのため、その他のレイヤの表示要素が閲覧制限領域により隠されることはない。例えば、煙感知器２２のアイコンや警戒区域が閲覧制限領域により隠されて、火災の発生場所がわからなくなることはない。この閲覧制限領域レイヤは、利用者の操作により表示／非表示を切り替えることができない。
【００２３】
なお、この閲覧制限領域レイヤの有無及び当該レイヤにおいて閲覧が制限される領域は、端末１２の利用者によって異なる。例えば、防火対象物の３階のテナントが当該階の躯体図を他階のテナントに知られたくない場合には、３階のテナントには３階の躯体を隠す閲覧制限領域レイヤが支援サーバ１１から提供されないの対し、他階のテナントには３階の躯体を隠す閲覧制限領域レイヤが支援サーバ１１から提供されることになる。なお、防災センタの要員には、いずれの階の閲覧制限領域レイヤも提供されず、すべての階の躯体図を閲覧することができる。
【００２４】
警戒区域レイヤは、防火対象物に設定される警戒区域を図示するレイヤである。警戒区域レイヤは警戒区域ごとに用意され、このレイヤでは、警戒区域を示す枠線が点滅表示される。枠線の色は、注意状態では橙色で表示され、感知器発報後は赤色で表示される。また、枠線の不透明度は、第１報では１００％で表示され、第２報後は５０％で表示される。この警戒区域レイヤは、利用者の操作により表示／非表示を切り替えることができない。
【００２５】
なお、この警戒区域レイヤは、火災受信機２１がＰ型受信機であり、作動した煙感知器２２の具体的な位置を特定できない場合に主に利用される。火災受信機２１がＲ型受信機であり、作動した煙感知器２２の具体的な位置を特定可能な場合には、必ずしも利用されなくてもよい。
【００２６】
設備レイヤは、防火対象物の防災設備の位置を、アイコンを使って図示するレイヤである。設備レイヤは防災設備の種別ごとに用意され、具体的には、発信機・非常電話レイヤ、防火・排煙設備レイヤ、消火設備レイヤ及び避難器具レイヤが用意される。
【００２７】
発信機・非常電話レイヤでは、発信機２３及び非常電話子機２８の位置がアイコンを使って図示される。この発信機・非常電話レイヤは、利用者の操作により表示／非表示を切り替えることができる。
【００２８】
防火・排煙設備レイヤでは、防火設備と排煙設備の位置がアイコンを使って図示される。ここで防火設備とは、防火戸２４及び防火シャッタ２５であり、排煙設備とは、ダンパ、排煙機、排煙窓等である。この防火・排煙設備レイヤは、利用者の操作により表示／非表示を切り替えることができる。
【００２９】
消火設備レイヤでは、消火器及び消火栓の位置がアイコンを使って図示される。この消火設備レイヤは、利用者の操作により表示／非表示を切り替えることができる。
【００３０】
避難器具レイヤでは、避難梯子、緩降機等の避難器具の位置がアイコンを使って図示される。この避難器具レイヤは、利用者の操作により表示／非表示を切り替えることができる。
【００３１】
作動設備レイヤは、防火対象物の防災設備のうち、作動した煙感知器２２及びアラーム弁２６の位置と、操作された発信機２３及び非常電話子機２８の位置を、アニメーションアイコンを使って図示するレイヤである。この作動設備レイヤには、作動してない又は操作されていない防災設備の位置は図示されないため、そのような防災設備に、作動した又は操作された防災設備が埋もれてしまうことがない。各防災設備のアイコンは、レイヤ上の座標位置に対応付けて参照表示される、例えばＧＩＦ画像であり、拡大表示及び縮小表示の対象とならない。そのため、各防災設備のアイコンの表示サイズは、設備配置図の拡大又は縮小にかかわらず、一定である。この作動設備レイヤは、利用者の操作により表示／非表示を切り替えることができない。
【００３２】
作動設備レイヤに図示される防災設備のうち、煙感知器２２のアイコンの色は、注意状態では橙色で表示され、感知器発報後は赤色で表示される。また、アイコンの不透明度は、第１報では１００％で表示され、第２報後は５０％で表示される。アイコンのアニメーションは、放射状に広がる波紋のアニメーションである。このように発報した煙感知器２２の位置は、赤色であるとともに動きがあり、拡大していく動きにより、よく目立つようになっている。一方、アラーム弁２６、発信機２３及び非常電話子機２８のアイコンは、点滅アイコンである。発信機２３及び非常電話子機２８のアイコンは、発信機・非常電話レイヤの表示／非表示にかかわらず、表示される。利用者は、発信機・非常電話レイヤを非表示としていた場合であっても、操作された発信機２３及び非常電話子機２８のアイコンの位置を認識することができる。
以上が、設備配置図のレイヤ構造についての説明である。
【００３３】
地図作成部１２１２により設備配置図が作成されると、表示制御部１２１３は、作成された設備配置図を含むフロアマップ画面を表示部１２３に表示させる。図４は、表示部１２３に表示されるフロアマップ画面の一例を示す図である。
【００３４】
同図に示すフロアマップ画面は、設備配置図３１と、表示階切替ボタン３２Ａ及び３２Ｂと、表示／非表示切替ボタン３３Ａ〜３３Ｄとを有する。これらの表示要素のうち、設備配置図３１は、火災階の設備配置図であり、煙感知器２２のアイコンＳ１が表示されている。
【００３５】
表示階切替ボタン３２Ａ及び３２Ｂは、表示対象のフロアを切り替えるためのボタンである。表示階切替ボタン３２Ａが選択されると、端末１２の利用者が担当する階の設備配置図３１が表示され、表示階切替ボタン３２Ｂが選択されると、火災階の設備配置図３１が表示される。すなわち、設備配置図３１は、フロア単位で切り替え可能なように表示される。初期状態では表示階切替ボタン３２Ｂが選択されている。なお、端末１２の利用者が担当する階の情報及び当該利用者が担う役割の情報は、端末１２の記憶部１２２に記憶される。
【００３６】
表示／非表示切替ボタン３３Ａ〜３３Ｄは、トグルボタンであり、防災設備のアイコンの表示／非表示を切り替えるために操作される。初期状態はオフ状態となっている。例えば、表示／非表示切替ボタン３３Ａが操作されて、オン状態に切り替えられると、消火設備レイヤが表示対象となり、消火器及び消火栓のアイコンが設備配置図３１に表示される。逆に、オフ状態に切り替えられると、消火設備レイヤが非表示となり、消火器及び消火栓のアイコンが設備配置図３１から消える。別の例として、表示／非表示切替ボタン３３Ｄが操作されて、オン状態に切り替えられると、防火・排煙設備レイヤが表示対象となり、防火設備と排煙設備のアイコンが設備配置図３１に表示される。逆に、オフ状態に切り替えられると、防火・排煙設備レイヤが非表示となり、防火設備と排煙設備のアイコンが設備配置図３１から消える。これらの表示／非表示切替ボタン３３Ａ〜３３Ｄを操作することで端末１２の利用者は、自身が参照したい防災設備のみを設備配置図３１上に表示させることができる。例えば、利用者が初期消火班に所属する場合には消火器及び消火栓を、通報連絡班に所属する場合には発信機２３及び非常電話子機２８を、安全防護班に所属する場合には防火設備及び排煙設備を、避難誘導班に所属する場合には避難器具のみを設備配置図３１上に表示させることができる。そのため、自身が参照したい防災設備が他の種類の防災設備に紛れてしまうという事態を避けることができる。この効果は、画面が小さい携帯端末において特に顕著である。
【００３７】
表示／非表示切替ボタン３３Ａ〜３３Ｄには、防災設備のアイコンと種類名が示され、アイコンの凡例として機能する。また、表示／非表示切替ボタン３３Ａ〜３３Ｄは、その選択状態に応じて外観が変化する。具体的には、オフ状態では白地のボタンとして表示され、オン状態では網掛けボタンとして表示される。これは、表示／非表示切替ボタン３３Ａ〜３３Ｄを見るだけで、どの防災設備のアイコンが表示対象になっているかを利用者が判別可能にするためである。
【００３８】
図５は、一例として、図４に示すフロアマップ画面において表示／非表示切替ボタン３３Ｄがオン状態に切り替えられたときに表示されるフロアマップ画面を示す図である。同図に示すフロアマップ画面では、表示／非表示切替ボタン３３Ｄが操作されてオン状態に切り替えられる結果、防火・排煙設備レイヤが表示対象となり、排煙設備のアイコンＳ２が設備配置図３１に表示されている。また同画面では、表示／非表示切替ボタン３３Ｄがオン状態に切り替えられる結果、同ボタンの外観が白地から網掛けに変更されている。
【００３９】
図６は、別の例として、図５に示すフロアマップ画面において表示階切替ボタン３２Ａが選択されたときに表示されるフロアマップ画面を示す図である。同図に示すフロアマップ画面には、表示階が火災階から担当階に切り替えられる結果、火災階の設備配置図３１に代えて、利用者が担当する階の設備配置図３１が表示される。しかし、同画面に表示される表示／非表示切替ボタン３３Ａ〜３３Ｄの選択状態は、火災階の設備配置図３１が表示されていた時の状態のまま維持される。そのため、同図に示すフロアマップ画面には、排煙設備のアイコンＳ２が設備配置図３１に表示されている。このように表示階の変更にかかわらず表示／非表示切替ボタン３３Ａ〜３３Ｄの選択状態を維持することで、利用者は表示階を変更する度に表示／非表示切替ボタン３３Ａ〜３３Ｄを選択し直す必要がない。なお、表示階が担当階から火災階に切り替えられる場合にも、表示／非表示切替ボタン３３Ａ〜３３Ｄの選択状態は維持される。
【００４０】
フロアマップ画面を構成する設備配置図３１は、利用者の操作に応じて、拡大表示及び縮小表示が可能である。しかし、設備配置図３１の拡大又は縮小にかかわらず、煙感知器２２のアイコンの表示サイズは一定に維持される。これは、設備配置図３１の拡大とともに煙感知器２２のアイコンを拡大してしまうと、拡大したアイコンに、その他の表示要素が隠れてしまうからである。また、設備配置図３１の縮小とともに煙感知器２２のアイコンを縮小してしまうと、同アイコンが見えづらくなり、火元が判別しづらくなってしまうからである。図７は、設備配置図３１の拡大図の一例であり、図８は、設備配置図３１の縮小図の一例である。これらの図に示す煙感知器２２のアイコンＳ１は、図４等と比較して、表示サイズが一定に維持されている。設備配置図３１の画像の拡大又は縮小は、躯体レイヤ、閲覧制限領域レイヤ、警戒区域レイヤ、及び設備レイヤの画像が対象であり、作動設備レイヤの画像は対象外であるため、煙感知器２２のアイコンＳ１は、表示サイズが一定に維持される。なお、煙感知器２２のアイコンＳ１に限らず、作動設備レイヤに図示される防災設備であれば、設備配置図３１の拡大又は縮小にかかわらず、アイコンの表示サイズは一定に維持される。
【００４１】
２．変形例
上記の実施形態は、下記のように変形してもよい。下記の変形例は互いに組み合わせてもよい。
【００４２】
２−１．変形例１
防災システム２を構成する感知器の種類は、煙感知器に限られない。煙感知器に代えて、熱感知器や炎感知器が採用されてもよい。
【００４３】
２−２．変形例２
注意と感知器発報の判定基準は、上記の例に限られない。判定基準となる煙濃度と蓄積時間の閾値は、煙感知器２２の設置状況に応じて適宜設定されてよい。ただし、注意の閾値は、感知器発報の閾値よりも低いものとする。
【００４４】
２−３．変形例３
設備レイヤの数は、上記の実施形態では「４」であるが、３以下でも５以上であってもよい。例えば、発信機・非常電話レイヤを、発信機レイヤと非常電話レイヤに分けて、別々に表示／非表示を切り替えられるようにしてもよい。同様に、防火・排煙設備レイヤを防火設備レイヤと排煙設備レイヤに分け、消火設備レイヤを消火器レイヤと消火栓レイヤに分けて、別々に表示／非表示を切り替えられるようにしてもよい。別の例として、ＡＥＤ、担架、救急箱等の救急用品の位置がアイコンを使って図示される救急用品レイヤをさらに備えてもよい。この救急用品レイヤは、利用者の操作により表示／非表示を切り替え可能であってよい。
【００４５】
２−４．変形例４
設備レイヤに示されるアイコンは、防災設備を示すシンボルの一例である。防災設備は必ずしも絵文字を使って表現されなくてもよい。
【００４６】
２−５．変形例５
警戒区域レイヤと作動設備レイヤでは、枠線又はアイコンの色の違いにより、注意状態と感知器発報後の状態が区別されているが、色以外の表示態様の違いにより、これらの状態を区別するようにしてもよい。例えば、形状、大きさ又はアニメーションの違いにより、これらの状態を区別するようにしてもよい。同様に、枠線又はアイコンの不透明度以外の表示態様の違いにより、第１報と第２報以後の状態を区別するようにしてもよい。
【００４７】
２−６．変形例６
作動設備レイヤでは、アイコンを点滅表示させることで、発信機２３又は非常電話子機２８が操作されたことを表現しているが、点滅表示以外の表示態様により、これらの防災設備が操作されたことを表現するようにしてもよい。例えば、アイコンの形状、大きさ又はアニメーションを平常時と変えることで、これらの防災設備が操作されたことを表現するようにしてもよい。同様に、アラーム弁２６についても、点滅表示以外の表示態様により、作動したことを表現するようにしてもよい。
【００４８】
２−７．変形例７
設備レイヤの表示／非表示を切り替えるための操作は、トグルボタンのオンオフ操作に限られない。例えば、チェックボックスのオンオフ操作により、設備レイヤの表示／非表示を切り替えてもよい。
【００４９】
２−８．変形例８
上記の実施形態では、端末１２が設備配置図を作成しているが、端末１２の代わりに支援サーバ１１が作成して、端末１２に提供するようにしてもよい。すなわち、支援サーバ１１が、地図作成部１２１２の機能を備えるようにしてもよい。その場合、支援サーバ１１は、端末１２に限らず、防災センタに設置される表示装置にも、フロアマップ画面を表示させるようにしてもよい。
【００５０】
２−９．変形例９
作動設備レイヤにおいて、作動した防火戸２４又は防火シャッタ２５を点滅表示させるようにしてもよい。また、作動設備レイヤには、作動した防火戸２４又は防火シャッタ２５以外にも、操作された消火器、消火栓又は避難器具も表示させるにしてもよい。
【００５１】
２−１０．変形例１０
上記の、設備配置図３１の拡大縮小にかかわらず煙感知器２２（作動設備レイヤに図示される防災設備）のアイコンの表示サイズを一定に維持するという仕様は、オーバーレイ方式の表示方法と切り離して採用されてもよい。すなわち、オーバーレイ方式とは異なる方式の表示方法において採用されてもよい。
【００５２】
２−１１．変形例１１
上記の、煙感知器２２のアイコンを閲覧制限領域（マスク領域）に重畳させるという仕様は、オーバーレイ方式の表示方法と切り離して採用されてもよい。すなわち、オーバーレイ方式とは異なる方式の表示方法において採用されてもよい。
【００５３】
２−１２．変形例１２
設備レイヤ以外のレイヤも、利用者の操作により表示／非表示を切り替えられるようにしてもよい。
【００５４】
２−１３．変形例１３
閲覧制限領域レイヤは、平常時は表示／非表示を切り替え不能とする一方で、イベント発生後は表示／非表示を切り替え可能としてもよい。すなわち、イベント発生後は閲覧制限を解除可能としてもよい。例えば、火災時に閲覧制限を解除することで、自衛消防隊員は、効率的に自衛消防活動を行うことができる。
【００５５】
２−１４．変形例１４
本発明の地図作成手段および表示制御手段として、各実施の形態では、防災支援システム１の端末１２または防災センタに設置される表示装置に表示する場合に適用して説明したが、自動火災報知設備の火災受信機盤面の地図表示に用いてもよく、また、火災受信機からの情報に基づいて地図表示を行う総合操作盤等の表示装置に用いてもよい。
【００５６】
２−１５．変形例１５
フロアマップ画面に表示される表示／非表示切替ボタン３３Ａ〜３３Ｄの外観及び配置は、図４等に示す例に限られない。これらは、防災支援システム１の利用者のニーズに応じて適宜変更されてよい。例えば、上記の実施形態ではオン状態とオフ状態とでボタン全体の模様を変えているが、一部の模様のみを変えるようにしてもよい。または、模様に代えて、色、形状、サイズ、絵文字の図柄、点滅周期等の表示態様を、オン状態とオフ状態とで変えるようにしてもよい。この場合も、ボタン全体ではなく一部のみを変えるようにしてよい。
【００５７】
２−１６．変形例１６
フロアマップ画面において表示階を切り替えるための操作は、表示階切替ボタン３２の選択に限られない。例えば、タブ選択により表示階を切り替え可能にしてもよい。
【００５８】
２−１７．変形例１７
フロアマップ画面に発信機２３又は非常電話子機２８の点滅アイコンが表示される場合に、同画面内の表示／非表示切替ボタン３３も点滅表示させるようにしてもよい。表示／非表示切替ボタン３３を点滅表示させることで、利用者は当該ボタンを見ることでも防災設備の作動状況を知ることができる。
【００５９】
２−１８．変形例１８
フロアマップ画面の表示／非表示切替ボタン３３Ａ〜３３Ｄは、上記の実施形態では初期状態においてすべてのボタンがオフ状態となっているが、利用者が担う役割に応じて特定のボタンをオン状態にしておくようにしてもよい。例えば、利用者が初期消火班に所属する場合には、表示／非表示切替ボタン３３Ａをオン状態にしておき、消火器及び消火栓を予め表示させ、通報連絡班に所属する場合には、表示／非表示切替ボタン３３Ｂをオン状態にしておき、発信機２３及び非常電話子機２８を予め表示させるようにしてもよい。このようにすることで、利用者は表示／非表示切替ボタン３３を選択する必要がなくなる。この場合、表示制御部１２１３は、例えば、自衛消防隊の役割と特定のボタンとを対応付けるテーブルを参照して利用者の役割に対応するボタンを特定し、特定したボタンを初期状態においてオン状態に設定する。
【００６０】
２−１９．変形例１９
防火対象物のフロアによっては、特定の種類の防災設備が存在しない場合がある。そのようなフロアについては、フロアマップ画面において表示対象とする際に、存在しない防災設備に対応する表示／非表示切替ボタン３３を選択不能としてもよい。具体的には、表示／非表示切替ボタン３３の表示を省略してもよい。または、選択しても防災設備のアイコンが表示されないことを利用者が判別可能な態様で表示するようにしてもよい。具体的には、グレーアウトしてもよい。このように表示／非表示切替ボタン３３の表示方法を防災設備の有無と連動させることで、利用者は表示／非表示切替ボタン３３を見るだけで防災設備の有無を判断することができる。この場合、表示制御部１２１３は、例えば、表示対象階の設備レイヤを参照することで当該階における防災設備の有無を判定する。
【００６１】
２−２０．変形例２０
支援サーバ１１が備える機能を、火災受信機２１又は総合操作盤に備えさせてもよい。すなわち、火災受信機２１又は総合操作盤にレイヤデータを記憶させ、端末１２との間でデータ同期を行わせてもよい。また、イベント情報を端末１２に送信させてもよい。
【００６２】
２−２１．変形例２１
フロアマップ画面の表示／非表示切替ボタン３３Ａ〜３３Ｄは、上記の実施形態では初期状態においてすべてのボタンがオフ状態となっているが、初期状態においてすべてのボタンをオン状態にしておくようにしてもよい。火災階などの各階の設備配置図３１を含むフロアマップ画面が表示されるときに、表示／非表示切替ボタン３３Ａ〜３３Ｄをオン操作しなくても、初期状態で全ての防災設備のアイコンが表示されるので、例えば、操作に不慣れな利用者が、火災階などの各階に防災設備が存在しないと誤判断することがない。
【００６３】
２−２２．変形例２２
また、設備配置図３１と表示／非表示切替ボタン３３Ａ〜３３Ｄとを有するフロアマップ画面において、表示／非表示切替ボタン３３Ａ〜３３Ｄを消去する操作（例えば、画面下部の下スクロールで表示／非表示切替ボタン３３Ａ〜３３Ｄを消去する操作）が行われると、フロアマップ画面において、表示／非表示切替ボタン３３Ａ〜３３Ｄが消去されて、設備配置図３１の領域が広がって表示され、また、当該消去状態で、表示／非表示切替ボタン３３Ａ〜３３Ｄを再表示する操作（例えば、画面下部の上スクロールで表示／非表示切替ボタン３３Ａ〜３３Ｄを再表示する操作）が行われると、表示／非表示切替ボタン３３Ａ〜３３Ｄが再表示されて、元のフロアマップ画面が再表示されるようにしてもよい。そして、設備配置図３１の領域が広がって表示されるときに、設備配置図３１が拡大表示されるようにしてもよい。
【００６４】
２−２３．変形例２３
なお、上記の実施の形態では、火災時に火災階の設備配置図３１を含むフロアマップ画面が表示されることを説明したが、メニュー操作によって、通常時においても、担当階などの各階のフロアマップ画面を表示可能である。ここで、フロアマップ画面における表示／非表示切替ボタン３３Ａ〜３３Ｄの初期状態のオンオフ状態を、火災時と通常時とで異ならせるように設定してもよい。または、利用者の要望に合わせて、端末１２毎に設定可能としてもよい。
【符号の説明】
【００６５】
１…防災支援システム、２…防災システム、１１…支援サーバ、１２…端末、１３…通信回線、２１…火災受信機、２２…煙感知器、２３…発信機、２４…防火戸、２５…防火シャッタ、２６…アラーム弁、２７…非常電話親機、２８…非常電話子機、２９…中継器、３１…設備配置図、３２…表示階切替ボタン、３３…表示／非表示切替ボタン、１２１…制御部、１２２…記憶部、１２３…表示部、１２４…操作入力部、１２５…通信部、１２１１…イベント情報取得部、１２１２…地図作成部、１２１３…表示制御部、Ｓ１…感知器アイコン、Ｓ２…排煙設備アイコン
【図１】
2020119140.tif 000003
【図２】
2020119140.tif 000004
【図３】
2020119140.tif 000005
【図４】
2020119140.tif 000006
【図５】
2020119140.tif 000007
【図６】
2020119140.tif 000008
【図７】
2020119140.tif 000009
【図８】
2020119140.tif 000010